(57)【特許請求の範囲】
【請求項１】
居室に設けられた便器に洗浄水を供給し、当該居室以外の場所に設けられた遠隔制御部と通信可能に構成された洗浄水供給装置であって、
前記居室に設置されるように構成された箱体と、
前記箱体の前面に設けられた洗浄ボタンと、
前記箱体の内部に設けられ、前記洗浄ボタンの操作により開放される第１のバルブと、  前記箱体の内部に設けられ、前記便器に前記洗浄水を供給する管路と、
前記箱体の内部に設けられ、前記管路を開閉可能なフラッシュバルブと、
前記箱体の内部に設けられ、前記第１のバルブが開放されると前記フラッシュバルブを開放する作動水を供給する作動水供給路と、
前記作動水供給路に設けられ、所定の流量以上の作動水が前記作動水供給路を流れた際に検出信号を出力するフローセンサと、
前記箱体の内部に設けられ、前記検出信号を受信する制御部とを備え、
前記制御部は、前記検出信号を受信している時間と回数の少なくとも一方が所定の条件を満足した場合に、前記遠隔制御部へ前記フラッシュバルブの異常操作を示す異常検出信号を出力するように構成されていることを特徴とする、洗浄水供給装置。
【請求項２】
前記所定の条件は可変とされていることを特徴とする、請求項１に記載の洗浄水供給装置。
【請求項３】
前記制御部に接続され、前記作動水供給路を開閉可能な第２のバルブを更に備え、
前記第２のバルブは、前記遠隔制御部から前記制御部を介して遠隔操作で開閉可能に構成されていることを特徴とする、請求項１または２のいずれか一項に記載の洗浄水供給装置。
【請求項４】
居室に設けられた便器に洗浄水を供給する洗浄水供給装置と、
前記居室とは異なる場所に設置され、報知部を備える遠隔制御部と、
制御部とを備える監視システムであって、
前記洗浄水供給装置は、
前記居室に設置された箱体と、
前記箱体の前面に設けられた洗浄ボタンと、
前記箱体の内部に設けられ、前記洗浄ボタンの操作により開放される第１のバルブと、
前記箱体の内部に設けられ、前記便器に前記洗浄水を供給する管路と、
前記箱体の内部に設けられ、前記管路を開閉可能なフラッシュバルブと、
前記箱体の内部に設けられ、前記第１のバルブが開放されると前記フラッシュバルブを開放する作動水を供給する作動水供給路と、
前記作動水供給路に設けられ、所定の流量以上の作動水が前記作動水供給路を流れた際に検出信号を出力するフローセンサとを備え、
前記制御部は、前記検出信号を受信している時間と回数の少なくとも一方が所定の条件を満足した場合に、前記遠隔制御部へ前記フラッシュバルブの異常操作を示す異常検出信号を出力し、
前記報知部は、前記異常検出信号に基づいて報知動作を行なうことを特徴とする、監視システム。
【請求項５】
前記所定の条件は、前記遠隔制御部より遠隔操作で可変とされていることを特徴とする、請求項４に記載の監視システム。
【請求項６】
前記洗浄水供給装置は、前記制御部に接続されて前記作動水供給路を開閉可能な第２のバルブを更に備え、
前記第２のバルブは、前記遠隔制御部より遠隔操作で開閉可能とされていることを特徴とする、請求項４または５に記載の監視システム。
【請求項７】
前記制御部は、前記異常検出信号を出力した日時と前記所定の条件を記録として保持することを特徴とする、請求項４ないし６のいずれか一項に記載の監視システム。
【発明の詳細な説明】
【技術分野】
【０００１】
本発明は、トイレ等の洗浄水供給装置、および当該洗浄水供給装置におけるフラッシュバルブの操作異常を監視するシステムに関する。
【背景技術】
【０００２】
精神科病院の隔離病室等には収容患者が使用するトイレが設置されている。収容患者は時として予期せぬ行動をとることがあり、例えば不必要に洗浄ボタンを操作したりする。フラッシュバルブ式のトイレの場合、洗浄ボタンを操作する度に洗浄水が水道管から直接供給される構造であるため、便器の排水能力を超えて洗浄水が供給されると溢水事故に繋がるおそれがある。
【０００３】
例えば特許文献１に記載の洗浄水供給装置は、患者が洗浄ボタンを操作するとナースステーションに設置されたコールランプが点灯し、看護士等が所定の操作を行なうことにより洗浄水を供給する構成とされている。これによって洗浄水の無用な消費を回避しようとしている。
【先行技術文献】
【特許文献】
【０００４】
【特許文献１】特開２００４−３００９０８号公報
【発明の概要】
【発明が解決しようとする課題】
【０００５】
しかしながら特許文献１に記載の構成では、看護士等が所定の操作を行なわない限り洗浄水の供給がなされないため、患者は看護士等の制約を受けると共に衛生上の問題がある。また患者が頻繁に洗浄ボタンを操作し、その度に洗浄水の供給操作を行なう場合、結局のところ溢水事故のおそれを回避できない。看護士等にはそのような患者の行為に対してその都度状況判断が求められることとなり、業務上の負担が増加すると共に効率が低下する。
【０００６】
便器に光センサを設けて水位の異常上昇を検出し、溢水事故を未然に防ごうとする提案も一方でなされているが、防水処理を施した光センサユニットを備えた便器の提供あるいは既存の便器にそのような光センサユニットを追加する工事はコストが高い。また予期せぬ行動をとる収容患者が当該光センサユニットを汚損あるいは破壊するおそれがある。
【０００７】
本発明は上記課題の少なくとも一部を解決するためになされたものであり、患者による洗浄ボタンの異常操作を低コストかつ汚損のおそれのない方法で適切に監視することを目的とする。これによってトイレの溢水事故を未然に防止し、かつ看護業務上の負担軽減と効率向上を図ることを目的とする。
【課題を解決するための手段】
【０００８】
上記課題の少なくとも一部を解決するため、本発明は以下に列挙する種々の態様を採り得る。
【０００９】
本発明の第１の態様は、便器に洗浄水を供給する洗浄水供給装置であって、
箱体と、
前記箱体の前面に設けられた洗浄ボタンと、
前記箱体の内部に設けられ、前記洗浄ボタンの操作により開放される第１のバルブと、
前記箱体の内部に設けられ、前記便器に前記洗浄水を供給する管路と、
前記箱体の内部に設けられ、前記管路を開閉可能なフラッシュバルブと、
前記箱体の内部に設けられ、前記第１のバルブが開放されると前記フラッシュバルブを開放する作動水を供給する作動水供給路と、
前記作動水供給路に設けられ、所定の流量以上の作動水が前記作動水供給路を流れた際に検出信号を出力するフローセンサと、
前記箱体の内部に設けられ、前記検出信号を受信する制御部とを備え、
前記制御部は、前記検出信号を受信している時間と回数の少なくとも一方が所定の条件を満足した場合に、前記フラッシュバルブの異常操作を示す異常検出信号を出力することを特徴とする。
【００１０】
本発明の第１の態様において、前記所定条件は可変とされていることを特徴とする。
【００１１】
本発明の第１の態様において、前記制御部に接続され、前記作動水供給路を開閉可能な第２のバルブを更に備え、前記第２のバルブは、前記制御部を介して遠隔操作で開閉可能とされていることを特徴とする。
【００１２】
本発明の第２の態様は、便器に洗浄水を供給する洗浄水供給装置と、前記便器が設けられた居室とは異なる場所に設置されて報知部を備える制御パネルと、制御部とを備える監視システムであって、
前記洗浄水供給装置は、
箱体と、
前記箱体の前面に設けられた洗浄ボタンと、
前記箱体の内部に設けられ、前記洗浄ボタンの操作により開放される第１のバルブと、
前記箱体の内部に設けられ、前記便器に前記洗浄水を供給する管路と、
前記箱体の内部に設けられ、前記管路を開閉可能なフラッシュバルブと、
前記箱体の内部に設けられ、前記第１のバルブが開放されると前記フラッシュバルブを開放する作動水を供給する作動水供給路と、
前記作動水供給路に設けられ、所定の流量以上の作動水が前記作動水供給路を流れた際に検出信号を出力するフローセンサとを備え、
前記制御部は、前記検出信号を受信している時間と回数の少なくとも一方が所定の条件を満足した場合に、前記フラッシュバルブの異常操作を示す異常検出信号を出力し、
前記報知部は、前記異常検出信号に基づいて報知動作を行なうことを特徴とする。
【００１３】
本発明の第２の態様において、前記所定の条件は、前記制御パネルより遠隔操作で可変とされていることを特徴とする。
【００１４】
本発明の第２の態様において、前記洗浄水供給装置は、前記制御部に接続されて前記作動水供給路を開閉可能な第２のバルブを更に備え、前記第２のバルブは、前記制御パネルより遠隔操作で開閉可能とされていることを特徴とする。
【００１５】
本発明の第２の態様において、前記制御部は、前記異常検出信号を出力した日時と前記所定の条件を記録として保持することを特徴とする。
【発明の効果】
【００１６】
本発明の第１の態様によれば、例えば患者が洗浄水供給装置の洗浄ボタンを操作すると通常通り洗浄水の供給がなされるため、患者は看護士等の制約を受けることなく衛生上の問題も回避できる。
【００１７】
また便器の排水能力に応じて予め適宜に設定された条件に合致する洗浄水の過剰供給が行なわれた場合にのみ異常検出信号が出力される構成とすることが可能であるため、溢水事故を未然に防ぐことができる。
【００１８】
フローセンサは箱体の内部に設けられているため、患者等の予期せぬ行動によりフローセンサが破損されるおそれを回避できる。またフローセンサ自体に防水処理を施す必要もないため部品コストが抑制される。
【００１９】
第２のバルブを遠隔操作で開閉可能な構成とすることにより、例えば異常信号が検出された際に、第２のバルブを即座に閉塞する操作を行なうことができる。これにより、フラッシュバルブへの作動水の供給が絶たれて便器への洗浄水供給が中断される。これにより異常操作が検出された状況下において無用な洗浄水の消費を防止することができる。
【００２０】
本発明の第２の態様によれば、第１の態様と同様の効果が得られる。例えば制御パネルをナースステーションに設置した場合、患者の容態や看護環境に応じて予め設定された条件に合致する洗浄水の過剰供給が行なわれた場合にのみ自動的に異常報知が行なわれるため、看護士等は難しい状況判断を迫られることなく対応処置を遂行可能である。これにより、看護業務上の負担が軽減されると共に業務効率が向上する。この効果は病室の数が増えるほど顕著となる。
【００２１】
看護士等は異常報知を受けて即座に第２のバルブを閉塞する操作を行なうことにより、フラッシュバルブへの作動水の供給が絶たれて便器への洗浄水供給が中断される。無用な洗浄水の消費を防止しつつ、看護士等は冷静に状況確認を行なうことが可能である。
【００２２】
異常検出信号が出力された日時および判定条件を記録として保存するように構成されているため、患者の行動傾向の把握が容易となり、看護計画の見直し等に役立てることができる。この効果は患者の数が増えるほど顕著となる。
【図面の簡単な説明】
【００２３】
【図１】本発明に係る洗浄水供給装置を隔離病室の内側から見た概観図である。
【図２】図１の洗浄水供給装置を隔離病室の外側から見た概観図である。
【図３】図１の洗浄水供給装置の動作を示すフローチャートである。
【図４】本発明に係る監視システムの構成を示すブロック図である。
【発明を実施するための形態】
【００２４】
本発明の一実施形態に係る洗浄水供給装置について、添付の図面を参照しつつ以下詳細に説明する。
【００２５】
本実施形態の洗浄水供給装置１は、例えば精神科病院において隔離が必要な患者を収容する病室に設置される。当該病室内には患者が使用するステンレス製の便器２が設置されている。図１に示されるように、洗浄水供給装置１は金属製の箱体３を備えており、その前面３ａが病室の内壁に露出するように設置されている。
【００２６】
箱体３の前面３ａにはステンレス製の手洗い器４と洗浄ボタン５のみが設けられている。手洗い器４の上部には出水口４ａが形成され、手洗い器４の下部には排水口４ｂが形成されている。患者が洗浄ボタン５を操作すると、便器２に洗浄水が供給されて水洗がなされると共に、出水口４ａから手洗い用の洗浄水が供給される。病室内に露出する部材を最小限にすることにより、患者の予期せぬ破壊行為等を防止している。
【００２７】
図２に示されるように、洗浄水を供給するための配管等の部材は、全て病室外側に位置する箱体３の内部に収容されている。具体的には、オンオフバルブ５ａ（本発明の第１のバルブに対応）、フラッシュバルブ６、作動水供給路７（図４参照）、フローセンサ８、電磁バルブ９、および制御部１０が収容されている。看護士や維持管理業者は病室内に立ち入ることなくこれらの部材の操作や保全が可能とされている。
【００２８】
オンオフバルブ５ａは、箱体３の前面３ａに設けられた洗浄ボタン５に接続されており、後述するように水圧動作式のフラッシュバルブ６を制御するためのものである。
【００２９】
フラッシュバルブ６は、作動水入口６ａ、入口側管路６ｂ、出口側管路６ｃ、便器側管路６ｄ、絞りバルブ６ｅ、および分岐管路６ｆを備えている。出口側管路６ｃは、便器側管路６ｄを経由して便器２に接続されている。出口側管路６ｃから分岐された分岐管路６ｄは手洗い器４の出水口４ａに接続されている。絞りバルブ６ｅは、分岐管路６ｆを経由して出水口４ａから流れ出る洗浄水の流量を調整するためのものである。手洗い器４の排水口４ｂには配水管４ｃが接続されている。
【００３０】
作動水供給路７は、第１管路７ａ、第１継手７ｂ、第２管路７ｃ、第３管路７ｄ、第２継手７ｅ、第４管路７ｆ、および第５管路７ｇを備えている。オンオフバルブ５ａ、フローセンサ８、および電磁バルブ９も作動水供給路７の一部を構成している。
【００３１】
第１管路７ａは、フラッシュバルブ６の入口側管路６ｂから水圧のかかった作動水を取り入れるためのものである。Ｔ字型の第１継手７ｂの各端部には、第１管路７ａ、電磁バルブ９、および第２管路７ｃが接続されている。第２管路７ｃはフローセンサ８およびオンオフバルブ５ａを介して第３管路７ｄの一端に接続されている。第３管路７ｄの他端は第２継手７ｅの一端に接続されている。第２継手７ｅの残る端部には、第４管路７ｆと第５管路７ｇが接続されている。第４管路７ｆは電磁バルブ９に、第５管路７ｇはフラッシュバルブ６の作動水入口６ａに接続されている。
【００３２】
病室内の患者が洗浄ボタン５を操作すると、オンオフバルブ５ａが所定時間だけ開放され、入口側管路６ｂから水圧のかかった作動水を第１管路７ａおよび第２管路７ｃを経由して取り込む。作動水は第３管路７ｄおよび第５管路７ｇを経由して作動水入口６ａに供給され、フラッシュバルブ６が開放される。洗浄水は入口側管路６ｂから出口側管路６ｃを経て便器側管路６ｄおよび分岐管路６ｆに供給され、便器２の洗浄および手洗い器４への放水がなされる。
【００３３】
フローセンサ８は、作動水流路７を流れる作動水の流量を検出するためのものである。フローセンサ８の内部に形成された流路には磁石を備えるフロートが当該流路内を移動可能に封入されている。フローセンサ８は当該流路が鉛直方向を向くように作動水流路７に取り付けられ、定常時においてフロートはその可動範囲における最下部に位置している。オンオフバルブ５ａが開放されて作動水が作動水流路７を流れると、フロートは水流により定常位置より押し上げられる。定常位置の上方には磁力によって変位可能なスイッチが設けられている。フロートが当該スイッチに対向する位置まで上昇すると、フロートが備える磁石の影響によってスイッチが変位し、接点が接続される構成とされている。
【００３４】
したがって検出を要する流量に対応する距離だけスイッチの位置をフロートの定常位置から離間させておくことにより、所定流量の作動水が作動水流路７を流れた場合にスイッチの接点が接続されて検出信号を出力することができる。検出信号は制御部１０に送信される。本実施形態では、検出を要する流量に応じてスイッチの位置を調整可能な構成とされている。
【００３５】
フロートが備える磁石によって機械的に変位する上記のスイッチに代えて、所定の磁気を検出すると検出信号を出力する磁気センサを設ける構成としてもよい。この場合においても磁気センサの位置（フロートの定常位置からの距離）を調節可能とすることにより、検出信号の出力を要する作動水の流量を調整することができる。
【００３６】
本実施形態のようなフロート式のフローセンサ８は、流路が鉛直方向を向くことを条件に、作動水流路７の任意の位置に配置することができる。フローセンサ８は羽車式をはじめとする公知の検出方式について任意のもので代えることが可能であり、その場合はセンサの設置位置について特に制約を受けない。
【００３７】
電磁バルブ９は、通常は第４管路７ｆを閉塞しており、箱体３の内部に設けられた開放ボタン９ａを操作することにより開放される構成とされている。電磁バルブ９が開放されることによっても、入口側管路６ｂから第１管路７ａを経由して作動水が作動水入口６ａに供給され、フラッシュバルブ６を開放して便器２および手洗い器４へ洗浄水を供給することができる。また電磁バルブ９は制御部１０と電気的に接続されており、制御部１０から制御信号の入力があった場合にも開放可能とされている。
【００３８】
制御部１０は、ＣＰＵ（中央演算装置）およびその周辺回路ならびにタイマを含んで構成されており、図４に示されるように、ナースステーション１１に設けられた遠隔制御部１２と双方向通信可能に構成されている。また制御部１０は図３に示される監視処理を実行可能に構成されている。
【００３９】
患者が洗浄水供給装置１の洗浄ボタン５を操作すると、オンオフバルブ５ａが開放されて作動水がフラッシュバルブ６に供給され、便器２および手洗い器４へ洗浄水が供給されると共に、フローセンサ８が検出信号を出力する（ステップＳ１１）。当該検出信号を受信した制御部１０は、タイマを用いて検出信号が３０秒以上連続して受信されているかを判定する（ステップＳ１２）。検出信号が３０秒以上連続して受信されている状況（ステップＳ１２においてＹｅｓ）とは、患者が洗浄ボタン５を不必要に押し続けている場合に対応する。このような状態を放置すると便器２あるいは手洗い器４の排水能力を超えて洗浄水が供給されるため、溢水事故に繋がるおそれがある。この場合において制御部１０は異常検出処理を実行し（ステップＳ１３）、異常検出信号をナースステーション１１の遠隔制御部１２へ送信する。
【００４０】
フローセンサ８の検出信号が３０秒以上連続して出力されていないと判定されると（ステップＳ１２においてＮｏ）、制御部１０は、検出信号が１分間に５回以上フローセンサ８から受信されているかをタイマを用いて判定する（ステップＳ１４）。検出信号が１分間に５回以上受信されている状況（ステップＳ１４においてＹｅｓ）は、患者が洗浄ボタン５を不必要に頻繁に操作している場合に対応する。このような状態を放置するとやはり溢水事故のおそれがあるため、制御部１０は上記と同様にして異常検出処理を実行する（ステップＳ１３）。
【００４１】
フローセンサ８の検出信号が１分間に５回以上出力されていないと判定されると（ステップＳ１４においてＮｏ）、制御部１０は、引き続いて検出信号が２分間に８回以上フローセンサ８から受信されているかをタイマを用いて判定する（ステップＳ１５）。制御部１０は、この判定結果がＹｅｓであれば異常検出処理を実行し（ステップＳ１３）、Ｎｏであれば引き続いて検出信号が３分間に１１回以上フローセンサ８から受信されているかをタイマを用いて判定する（ステップＳ１６）。制御部１０は、この判定結果がＹｅｓであれば異常検出処理を実行し（ステップＳ１３）、Ｎｏであれば引き続いて検出信号が５分間に２０回以上フローセンサ８から受信されているかをタイマを用いて判定する（ステップＳ１７）。制御部１０は、この判定結果がＹｅｓであれば異常検出処理を実行し（ステップＳ１３）、Ｎｏであればタイマをリセットして（ステップＳ１８）フローセンサ８からの検出信号を待機する状態とされる。
【００４２】
ステップＳ１５ないしＳ１７の判定条件（時間と回数の組合せ）は、いずれも患者が洗浄水供給装置１の洗浄ボタン５を不必要に頻繁に操作している状態、すなわち溢水事故のおそれがある状態とみなすことができるものとして設定されている。なお図３のフローチャートには明示されていないものの、ステップＳ１４ないしＳ１７の各判定の途中において検出信号が３０秒以上連続して制御部１０に受信されると、監視処理は無条件にステップＳ１３に移行して異常検出処理が実行される。
【００４３】
ナースステーション１１には制御パネル１３が設置されている。遠隔制御部１２はＣＰＵ（中央演算装置）およびその周辺回路を含んで構成されている。遠隔制御部１２は当該制御パネル１３に設けられた制御基板の一部として提供されてもよいし、ナースステーション１１に設置されたコンピューター上で動作するアプリケーションソフトウェアの一機能として実現されてもよい。隔離病室等に配置された洗浄水供給装置１と、ナースステーション１１に配置された遠隔制御部１２および制御パネル１３とで本発明に係る監視システムを構成している。
【００４４】
図４に示されるように、制御パネル１３は、報知部１４、操作部１５、および条件設定部１６を備えている。制御パネル１３の機能の少なくとも一部は、ナースステーション１１に設置されたコンピューター上で動作するアプリケーションソフトウェアの一機能として実現されてもよい。
【００４５】
報知部１４は、遠隔制御部１２が洗浄水供給装置１の制御部１０から異常検出信号を受信した場合に、表示と音声の少なくとも一方により看護士等に異常を報知するものである。ランプ点灯、異常メッセージ表示、ブザー音、音声メッセージ等の何れか、あるいは複数を適宜組み合わせて報知が行なわれる。看護士等は当該報知を受け、患者が洗浄水供給装置１の洗浄ボタン５（フラッシュバルブ６）を異常操作していることを認識できる。
【００４６】
操作部１５は、各種ボタン（タッチパネル上に表示されるものを含む）等を含んで構成されており、少なくとも報知停止ボタン、バルブ開放ボタン、監視処理リセットボタンを含んでいる。報知停止ボタンがユーザにより操作されると、報知部１４の報知動作が強制的に停止される。バルブ開放ボタンが看護士等により操作されると、遠隔制御部１２より制御信号が洗浄水供給装置１の制御部１０に送信される。制御部１０は電磁バルブ９に当該制御信号を入力し、これによって電磁バルブ９を遠隔操作で開放することができる。監視処理リセットボタンは、異常報知を受けた看護士等が対応処置を終えた後に監視処理を再開するために操作するものである。
【００４７】
条件設定部１６は、制御部１０が実行する監視処理において行われる判定処理の条件を遠隔設定するためのものであり、各種ボタン（タッチパネル上に表示されるものを含む）等を含んで構成される。図３に示されているＳ１２、Ｓ１４ないしＳ１７の判定条件はあくまで一例であり、患者の容態や看護環境、あるいはトイレの排水能力といった諸条件に応じて任意に変更可能である。例えばＳ１２の判定の場合、異常操作と判定する時間を適宜に変更可能である。またＳ１４ないしＳ１７の判定の場合、異常操作と判定する時間と回数の組合せを適宜に変更可能である。なおＳ１４ないしＳ１７を通じて行なわれる判定の回数は４回に限定されるものではなく、条件設定部１６を通じて適宜に増減させることが可能である。条件設定部１６において入力された設定は、遠隔制御部１２を介して洗浄水供給装置１の制御部１０に送信され、実行される監視処理に反映される。
【００４８】
洗浄水供給装置１の制御部１０とナースステーション１１の遠隔制御部１２の少なくとも一方は、異常検出処理が実行された日時、およびいずれの判定結果をもって異常を検出したのかを記録として保存するように構成されている。
【００４９】
複数の隔離病室が存在し、各病室に上記の洗浄水供給装置１が設置されている場合、ナースステーション１１の遠隔制御部１２は、各洗浄水供給装置１の制御部１０と双方向通信可能に接続される。ナースステーション１１において各洗浄水供給装置１の使用状況が統括的に監視される。なお制御部１０の機能の少なくとも一部を遠隔制御部１２が担う構成としてもよい。
【００５０】
以上のように、本実施形態の構成によれば、患者が洗浄水供給装置１の洗浄ボタン５を操作すると通常通り洗浄水の供給がなされるため、患者は看護士等の制約を受けることなく衛生上の問題も回避できる。
【００５１】
患者の容態や看護環境に応じて予め設定された条件に合致する洗浄水の過剰供給が行なわれた場合にのみ自動的に異常報知が行なわれるため、看護士等は難しい状況判断を迫られることなく対応処置を遂行可能である。看護業務上の負担が軽減されると共に業務効率が向上する。この効果は病室の数が増えるほど顕著となる。
【００５２】
またトイレの排水能力に応じて予め適宜に設定された条件に合致する洗浄水の過剰供給が行なわれた場合にのみ自動的に異常報知が行なわれるため、溢水事故を未然に防ぐことができる。
【００５３】
監視処理の一部を担うフローセンサ８は、箱体３のうち病室外側に配置された部分に設けられているため、患者の予期せぬ行動によりフローセンサ８が破損されるおそれを回避できる。またフローセンサ８自体に防水処理を施す必要もないため部品コストが抑制される。
【００５４】
洗浄水供給装置１の制御部１０とナースステーション１１の遠隔制御部１２の少なくとも一方が、異常検出処理が実行された日時、およびいずれの判定結果をもって異常を検出したのかを記録として保存するように構成されているため、患者の行動傾向の把握が容易となり、看護計画の見直し等に役立てることができる。この効果は患者の数が増えるほど顕著となる。
【００５５】
溢水事故をより確実に防止するという観点からは、洗浄水供給装置１による便器２および手洗い器４への洗浄水供給をナースステーション１１から遠隔停止できるようにすることが好ましい。このような構成を備えた洗浄水供給装置１の変形例を以下に説明する。
【００５６】
電磁バルブにより構成されるカットオフバルブ（本発明の第２のバルブに対応）を作動水供給路７の任意の箇所に設置し、制御部１０から入力される制御信号に応じて開閉可能に構成する。ナースステーション１１の操作部１５には当該カットオフバルブの操作ボタンを設け、当該ボタンの操作に応じた制御信号を遠隔制御部１２および制御部１０を介してカットオフバルブに入力可能な構成とする。
【００５７】
看護士等は報知部１４による異常報知を受けて即座にカットオフバルブを閉塞する操作を行なうことにより、フラッシュバルブ６への作動水の供給が絶たれて便器２および手洗い器４への洗浄水供給が中断される。無用な洗浄水の消費を防止しつつ、看護士等は冷静に状況確認を行なうことが可能である。問題が解消されたと判断された場合、操作部１５を通じてカットオフバルブを開放すればよい。洗浄水の再供給が必要な場合は、さらに操作部１５を通じて電磁バルブ９を開放すればよい。フラッシュバルブ６へ作動水が供給されて洗浄水が便器２および手洗い器４に供給される。
【００５８】
本発明に係る洗浄水供給装置および監視システムは、上述した精神科病院における隔離病室とナースステーションにおける利用に限定されるものではない。例えば拘置所等における独居房と監守室においても同様にして利用可能である。
【００５９】
上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００６０】
１：洗浄水供給装置、２：便器、３：箱体、３ａ：前面、５：洗浄ボタン、５ａ：オンオフバルブ（第１のバルブ）、６：フラッシュバルブ、７：作動水供給路、８：フローセンサ、１０：制御部、１１：ナースステーション、１２：遠隔制御部（制御部）、１３：制御パネル、１４：報知部
【図１】
0005805418.tif 000002
【図２】
0005805418.tif 000003
【図３】
0005805418.tif 000004
【図４】
0005805418.tif 000005